(57)【要約】【課題】食器洗い機本体のシステムキッチンへの設置工事の簡素化と騒音を低減する。【解決手段】食器洗い機本体１の側面と前記収納部２２との間にできる隙間２５を埋める接合部材２７とを備え、前記接合部材２７は、前記収納部２２に対する食器洗い機本体１の左右方向の位置を規制する規制部２４と、前記収納部２２と食器洗い機本体１との間にできる隙間をシールするシール部２６を有したものである。【選択図】図１
2008168028.tif 000002
【特許請求の範囲】
【請求項１】
食器等の被洗浄物を収容する洗浄槽と、前記洗浄槽を前方に引き出し可能に収容する筐体と、前記筐体と前記洗浄槽を包含し、かつ、システムキッチンに用意された収納部に組み込まれる食器洗い機本体と、前記洗浄槽内の洗浄水を加圧する洗浄ポンプと、前記洗浄ポンプによって加圧された洗浄水を前記洗浄槽内に噴射しながら回転する洗浄ノズルと、前記洗浄ポンプを駆動するモータと、前記モータの駆動を制御する制御手段と、前記食器洗い機本体の側面と前記収納部との間にできる隙間を埋める接合部材とを備え、前記接合部材は、前記収納部に対する食器洗い機本体の左右方向の位置を規制する規制部と、前記収納部と食器洗い機本体との間にできる隙間をシールするシール部を有した食器洗い機。
【請求項２】
規制部は、略Ｌ字状に設けて筐体の前面と側面に固着した請求項１記載の食器洗い機。
【請求項３】
シール部は、洗浄槽の前面に設けた扉と筐体との間にできる隙間をシールするようにした請求項１または２記載の食器洗い機。
【請求項４】
食器洗い機本体は、筐体の底部と収納部との間にできる隙間をシールするシール材を設けた請求項１〜３のいずれか１項に記載の食器洗い機。
【請求項５】
食器洗い機本体は、筐体の天面と収納部との間にできる隙間をシールするシール材を設けた請求項１〜３のいずれか１項に記載の食器洗い機。
【請求項６】
接合部材を扉の側面より内側に位置するように設けた請求項１〜４のいずれか１項に記載の食器洗い機。
【発明の詳細な説明】
【技術分野】
【０００１】
本発明は、食器に洗浄水を噴射して洗浄する食器洗い機の防音用シール構成に関するものである。
【背景技術】
【０００２】
従来、この種の食器洗い機は、洗浄槽内に水道水を導入し、洗浄槽の底部に貯水した水を洗浄ポンプで加圧して洗浄ノズルに送り、洗浄ノズルから食器かごに配置した食器等に噴射して食器に付着した汚れを除去するよう構成している。食器洗い機には、キッチンの天面に設置する卓上型と、システムキッチンに組み込むビルトイン型がある（例えば、特許文献１参照）。最近では、食器洗い機の普及拡大に伴い、キッチンにおける外観の点で有利なビルトイン型の食器洗い機が増加傾向にある。特に最近では、洗浄槽の開口部が上面に構成し、洗浄槽を手前に引き出す引き出し型が主流となっている。
【特許文献１】特開２００３−９３３１３号公報
【発明の開示】
【発明が解決しようとする課題】
【０００３】
しかしながら、従来のビルトイン型食器洗い機は、以下のような課題がある。ビルトイン型の前面のみシステムキッチンから露出し、天面や側面、底面など他の面はシステムキッチン内に収納される。しかしながら、食器洗い機から発生した騒音は、システムキッチンとの隙間を通り、食器洗い機前面から出て行く構造のため、騒音が大きかった。また、美感上においても、食器洗い機本体をシステムキッチン内に収納するとき、本体とシステムキッチンとの前後左右の隙間を均一に調整しながら設置する必要がある。そして、それぞれの隙間を調整した後、本体はシステムキッチンの側面との間で、あるいは、本体を床面との間で固定させる。このように、本体をシステムキッチンに設置する場合、設置工事に手間がかかるという課題があった。
【０００４】
本発明は、前記従来の課題を解決するもので、食器洗い本体とシステムキッチンとの隙間詰めと本体設置時の位置決めをすることにより、設置工事の簡素化と騒音を低減した食器洗い機を提供することを目的とする。
【課題を解決するための手段】
【０００５】
前記従来の課題を解決するために、本発明の食器洗い機は、食器等の被洗浄物を収容する洗浄槽と、前記洗浄槽を前方に引き出し可能に収容する筐体と、前記筐体と前記洗浄槽を包含し、かつ、システムキッチンに用意された収納部に組み込まれる食器洗い機本体と、前記洗浄槽内の洗浄水を加圧する洗浄ポンプと、前記洗浄ポンプによって加圧された洗浄水を前記洗浄槽内に噴射しながら回転する洗浄ノズルと、前記洗浄ポンプを駆動するモータと、前記モータの駆動を制御する制御手段と、前記食器洗い機本体の側面と前記収納部との間にできる隙間を埋める接合部材とを備え、前記接合部材は、前記収納部に対する食器洗い機本体の左右方向の位置を規制する規制部と、前記収納部と食器洗い機本体との間にできる隙間をシールするシール部を有したものである。
【０００６】
これにより、本体をシステムキッチンに収容する時、食器洗い機本体の左右の位置規制と、収納部と食器洗い機本体との間にできる隙間のシールを同時に行うことができる。
【発明の効果】
【０００７】
本発明の食器洗い機は、設置工事の簡素化と騒音を低減した食器洗い機を実現することができる。
【発明を実施するための最良の形態】
【０００８】
第１の発明は、食器等の被洗浄物を収容する洗浄槽と、前記洗浄槽を前方に引き出し可能に収容する筐体と、前記筐体と前記洗浄槽を包含し、かつ、システムキッチンに用意された収納部に組み込まれる食器洗い機本体と、前記洗浄槽内の洗浄水を加圧する洗浄ポンプと、前記洗浄ポンプによって加圧された洗浄水を前記洗浄槽内に噴射しながら回転する洗浄ノズルと、前記洗浄ポンプを駆動するモータと、前記モータの駆動を制御する制御手段と、前記食器洗い機本体の側面と前記収納部との間にできる隙間を埋める接合部材とを備え、前記接合部材は、前記収納部に対する食器洗い機本体の左右方向の位置を規制する規制部と、前記収納部と食器洗い機本体との間にできる隙間をシールするシール部を有したことにより、食器洗い機本体をシステムキッチンに収容する時、食器洗い機本体の左右の位置規制と、収納部と食器洗い機本体との間にできる隙間のシールを同時に行うことができるため、設置工事の簡素化と騒音を低減することができる。
【０００９】
第２の発明は、特に、第１の発明の規制部は、略Ｌ字状に設けて筐体の前面と側面に固着したことにより、接合部材を筐体に対して位置決めした状態で取り付けることができるため、食器洗い機本体の左右方向の位置規制を確実に行うことができる。
【００１０】
第３の発明は、特に、第１の発明または第２の発明のシール部は、洗浄槽の前面に設けた扉と筐体との間にできる隙間をシールするようにしたことにより、洗浄槽内から食器洗い機本体外に出てくる騒音と、食器洗い機本体と収納部から出てくる騒音を同時に低減できる。
【００１１】
第４の発明は、特に、第１〜第３のいずれか１つの発明の食器洗い機本体は、筐体の底部と収納部との間にできる隙間をシールするシール材を設けたことにより、食器洗い機本体の底部から出てくる騒音を低減できる。
【００１２】
第５の発明は、特に、第１〜第３のいずれか１つの発明の食器洗い機本体は、筐体の天面と収納部との間にできる隙間をシールするシール材を設けたことにより、食器洗い機本体の天面とシステムキッチンとの隙間から出てくる騒音を低減できる。
【００１３】
第６の発明は、特に、第１〜第４のいずれか１つの発明の接合部材を扉の側面より内側に位置するように設けたことにより、食器洗い機本体の正面から接合部材が見えることがなく、前方から扉で覆われるのでシステムキッチンの美観を損ねることはない。また、扉は筐体側面より側方へ突出した部分でシステムキッチンの隔壁に当接できるので、音の漏出をさらに少なくすることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における食器洗い機の縦断面図、図２は、同食器洗い機の天面に設けたシール部を示す要部縦断面図、図３は、同食器洗い機のシール部を示す要部平断面図である。
【００１６】
図１〜図３により本発明の食器洗い機の全体構成を説明する。本食器洗い機はビルトイン型であり、食器洗い機の本体１は置台２の上に載置されてシステムキッチン２１に用意された収納部２２に収納される。図１は本食器洗い機本体１の洗浄槽３を筐体４内から引き出す途中の状態、図２は筐体４から洗浄槽３を完全に収納した状態である。前面が開口した筐体４の内部には上面開口部５を有する洗浄槽３が配設され、洗浄槽３の内部には食器類を整列配置するための食器かご６が設置されている。
【００１７】
筐体４内の上方空間には、洗浄槽３の上面開口部５を閉塞するための上蓋７が、前後一対のリンク８を含む左右一対の平行リンク機構と上蓋７を吊り上げるにより上下動自在に配置されている。洗浄槽３の前壁１０には、筐体４の前面開口部１２を閉塞する扉１３を兼ねた前面パネル１１が取り付けられており、前面パネル１１と洗浄槽３とは一体に、筐体４の両側壁内側に略水平に架設されたガイドレール１４に沿って前方に引き出し自在に移動する。
【００１８】
洗浄槽３の下方にはモータ４１により駆動する洗浄ポンプ１５により加圧した洗浄水を噴射する噴射口１６を有する洗浄ノズル１７を設けている。洗浄槽３の下部には、洗浄水を加熱するヒータ１８を配置している。１９は洗浄槽３に洗浄水を供給するための給水弁である。２０は前面パネル１１の内部に設けられた制御装置（制御手段）であり、洗浄ポンプ１５やヒータ１８等を制御する。
【００１９】
筐体側面２３の前方には上下方向に延びる接合部材２７を設けており、収納部２２と筐体側面２３の隙間２５をシールする。接合部材２７は、システムキッチン２１の収納部２２に本体１を収納するときの左右方向の位置を規制するための規制部２４と、収納部２２と筐体側面２３との間にできる隙間２５をシールするシール部２６で構成されている。規制部２４は硬質のゴムあるいはゴムと樹脂を混合した材料を用い、本体１を位置規制するために必要な機械的強度を有している。
【００２０】
また、シール部２６は、隙間２５のシールを目的としており、本体１の収納時に本体１の左右方向につぶれてシールをさせるための柔軟性を備えた弾性体、具体的には軟質ゴムや発泡性ゴムを用いる。すなわち、接合部材２７は軟質部材の上に硬質部材を設けた二層構造を有している。また、シール部２６の断面形状としては中空構造であるが、シール部２６にリップ（図示せず）を一重あるいは多重に設けることで収納部に対するシール性がさらに向上できる。また、接合部材２７は筐体側面２３に対して接着剤によって固定しているが、他にも筐体４と接合部材２７にそれぞれコの字形状を設ける固定方法、ねじ締結する固定方法も考えられる。
【００２１】
また、筐体天面２８の前方には左右方向にシール材２９を設けており、収納部２２と筐体天面２８の隙間３０をシールする。シール材２９は本体１の上下方向につぶれてシールをさせるための柔軟性を備えた弾性体、具体的には軟質ゴムや発泡性ゴムを用いる。そしてシール材２９の断面形状は中空構造であるが、シール材２９の収納部２２に接触する部分にリップ（図示せず）を一重あるいは多重に設けることで収納部に対するシール性がさらに向上できる。また、シール材２９は筐体天面２８に対して接着剤によって固定しているが、他にも筐体４と接合部材２７にそれぞれコの字形状を設ける固定方法、ねじ締結する固定方法も考えられる。
【００２２】
また、筐体底面３１の前方には左右方向にシール材２９を設けており、置台２と筐体底面３１の隙間３０をシールする。なお、上記説明した接合部材２７やシール材２９は筐体４側に設けたが、接合部材２７あるいは接合部材２７の内のシール部２６もしくは規制部２４、またはシール材２９をシステムキッチン２１の収納部２２側に設けても本体１の左右方向の位置規制、隙間のシールによる防音効果を得ることができる。
【００２３】
次に、上記構成における運転動作について説明する。洗浄槽３を引き出すとき、洗浄槽３の上面開口部５を覆う上蓋７がバネ９とリンク８によるリンク機構の働きで上方に移動する。そして、ガイドレール１４の働きで洗浄槽３は前方に移動する。反対に洗浄槽３をしまうとき、洗浄槽３の上面開口部５を覆う上蓋７がリンク８によるリンク機構の働きで下方に移動する。そして、洗浄槽３が本体１に収納されると洗浄槽３上部と上蓋７の間にあるシール用パッキン３２により洗浄槽３は水密に水封される。
【００２４】
次に、食器かご６に食器類を配置し、専用洗剤を投入して運転を開始する。次に、給水弁１９から所定水量の洗浄水を給水する。次に、洗浄ポンプ１５を駆動して洗浄ノズル１７から食器に噴射する本洗い工程を行う。そして、洗浄槽３の洗浄水を入れ替えての数回のすすぎ工程を行った後、最後に加温した高温の洗浄水ですすぐ加熱すすぎ工程を行って洗浄工程を終了する。また、最後に洗浄した食器を乾燥する乾燥工程を行う場合もある。
【００２５】
次に、本発明の構成に関する動作、作用を説明する。置台２に設置した本体１は、収納部２２に前方から挿入する。挿入の最終段階で収納部２２と筐体４の両側面に設けた接合部材２７のうち、規制部２４とのわずかな隙間２５を接触しつつ、完全に収納される。通常、本体１と収納部２２の隙間２５は片側２ミリ程度であるが、片側の隙間２５をなくして収納すると、もう片側の隙間２５が４〜５ミリもあいてしまう。また、本体１の重量も重く左右方向にわずかにずらす修正を行うことは容易でない。大きく隙間が開くと、外観上好ましくないし、本体１からの騒音も大きくなってしまう。
【００２６】
本発明の構成によれば、本体を収納した時点で収納部２２との左右方向の隙間２５は左右ほぼ均等に配置できるので、設置時の作業を容易にすることができる。接合部材２７は筐体４の前端に設けている。また、規制部２４と収納部２２の隙間２５は、片側１ミリ程度になるようにしているので、収納部２２への本体１の挿入時に入れにくいことはなく、左右方向の位置決めを行うことができる。
【００２７】
また、接合部材２７は、筐体底面３１に取り付けた状態では平面的に規制部２４よりシール部２６の方が前方に位置するように構成しているため、シール部２６によって収納部２２と筐体４の隙間２５をシールができる。このため、収納部２２と筐体４の両側の隙間２５から機外への流出する本体騒音を低減することができる。また、食器洗い機本体１を収納部２２への設置時に規制部２４によって位置規制された状態でシール部２６が収納部２２に導くことができるので、設置時におけるシール部２６の損傷を防止することができる。
【００２８】
また、収納部２２と筐体天面２８との間には大きな隙間３０があり、洗浄水が上蓋７を叩くことで発生する洗浄騒音が筐体天面２８から機外に流出していた。ところが本発明の構成によれば、シール材２９を筐体天面２８に設けたことにより、収納部２２と筐体天面２８との隙間をなくすことができるため、筐体天面２８から機外に流出する騒音を低減することができる。
【００２９】
また、置台２を用いる引き出し形食器洗い機の場合、置台２と筐体底面３１との間にも隙間３３があり、筐体底面３１からの騒音も機外に流出てしまう。ところが本発明の構成によれば、シール材２９を筐体底面３１に設けたことにより、置台２と筐体底面３１との隙間３３をなくすことができ、筐体底面３１から機外に流出する騒音を低減することができる。
【００３０】
また、本発明の実施の形態では、筐体４の両側面２３に設けた接合部材２７、筐体天面２８、筐体底面３１にそれぞれ設けたシール材２９は単独で設けたことによってシール性を確保し、騒音低減ができると説明した。しかしながら、上記４箇所の部材は単独で設けられているため、それぞれの部材の合わさる角部は、隙間が存在するために完全なシールを実現できない。そこで、四箇所の部材をロの字状に一体で構成する（図示せず）ことによりそれぞれの部材間の角部の隙間がなくなり本体からの騒音流出を完全に防ぐことができるため、防音効果はさらに向上する。
【００３１】
また、本実施の形態では、筐体側面２３に設けた接合部材２７と、筐体天面２８に設けたシール材２９と、筐体底面３１に設けたシール材２９については、一体で実施する必然性はなく、各々独立して実施が可能である。
【００３２】
（実施の形態２）
図４は、本発明の実施の形態２における食器洗い機本体の前部と蓋部のシールを兼ねる構成を示す要部平断面図である。本発明の実施の形態での特徴的な構成について述べる。図４に示すように、筐体前面部３４は略Ｌ字型に端面が構成されており、略Ｌ字型の規制部２４を有する接合部材２７を設けている。またシール部２６は、収納部２２と筐体側面２３との間にできる隙間２５をシールする構成に加えて、扉１３と筐体４との間にできる隙間３９をシールする扉シール部３５を有している。このため、運転中に扉１３と筐体４、あるいは、筐体４と収納部２２との隙間から漏れる騒音を低減することができる。なお、その他の基本的な構成については、実施の形態１と同じであり省略する。
【００３３】
（実施の形態３）
図５は、本発明の実施の形態３における食器洗い機本体のシールを示す要部平断面図である。図５に示すように、扉１３は、システムキッチン２１との隔壁４０よりも前面に、かつ、隔壁４０の前面部４２の一部を覆うように配置している。また、扉１３の側面部４３より内側に筐体側面２３を構成している。本構成によれば、シール部２６は、収納部２２と筐体側面２３との間にできる隙間２５のと、扉１３と筐体４との間にできる隙間３９のシールと、隔壁４０の前面４１と扉１３が接触することによるシール効果も加えられるため、本体から漏れる騒音をさらに低減することができる。また、扉１３は筐体側面２３より側方へ突出した部分でシステムキッチン２１の隔壁４０の前面に当接できるので、音の漏出をさらに少なくすることができる。
【００３４】
また、食器洗い機の本体１の正面から接合部材２７が見えない構成となるため、美観を損ねることはない。なお、その他の基本的な構成については、実施の形態１と同じであり省略する。
【産業上の利用可能性】
【００３５】
以上のように、本発明にかかる食器洗い機は、設置工事の簡素化と騒音を低減することができるので、システムキッチンに収容されるビルトイン型の食器洗い機として有用である。
【図面の簡単な説明】
【００３６】
【図１】本発明の実施の形態１の食器洗い機の概略縦断面図
【図２】同食器洗い機のシール部を示す要部縦断面図
【図３】同食器洗い機のシール部を示す要部平断面図
【図４】本発明の実施の形態２の食器洗い機のシール部を示す要部平断面図
【図５】本発明の実施の形態３の食器洗い機のシール部を示す要部平断面図
【符号の説明】
【００３７】
１  食器洗い機本体
３  洗浄槽
４  筐体
１３  扉
１５  洗浄ポンプ
１７  洗浄ノズル
２０  制御装置（制御手段）
２１  システムキッチン
２２  収納部
２４  規制部
２５  隙間
２６  シール部
２７  接合部材
２８  筐体天面
２９  シール材
３１  筐体底面
４１  モータ
【図１】
2008168028.tif 000003
【図２】
2008168028.tif 000004
【図３】
2008168028.tif 000005
【図４】
2008168028.tif 000006
【図５】
2008168028.tif 000007